【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
ａ）流体流を受けるために構成される流入路と、流体流出のために構成される流出路と、前記流入路から流体を受けて前記流出路から流出する前に内部に前記流体を一時的に閉じ込めるために構成される内部チャンバとを有する中空容器と、
ｂ）前記チャンバに作用可能に配置される少なくとも1つの殺菌剤と、ここで前記殺菌剤が、前記チャンバ内で前記流体に定期的露出時に殺菌性を有する化合物を放出するように化学的に構成される1つ以上の反応体を含み、
ｃ）前記流体中の前記殺菌剤の存在と前記流体からの前記殺菌剤の引続く消失との検知を容易にするための、前記殺菌剤に関連する染料指示薬と、
を備える、制御された用量の殺菌剤を流体に配送するシステム。
【請求項２】
前記化合物が、二酸化塩素である、請求項1に記載のシステム。
【請求項３】
前記流体が、水である、請求項1に記載のシステム。
【請求項４】
前記1つ以上の反応体が、亜塩素酸塩である、請求項3に記載のシステム。
【請求項５】
前記亜塩素酸塩が、亜塩素酸ナトリウム、亜塩素酸カリウム、及びこれらの混合物からなる群より選択される水溶性亜塩素酸塩である、請求項4に記載のシステム。
【請求項６】
前記1つ以上の反応体が、水溶性亜塩素酸塩と水溶性の酸とを含む、請求項3に記載のシステム。
【請求項７】
前記水溶性の酸が、リン酸、フマール酸、グリコール酸、酢酸、アスコルビン酸、シュウ酸、マレイン酸、乳酸、酒石酸、クエン酸、及びこれらの混合物からなる群より選択される、請求項6に記載のシステム。
【請求項８】
殺菌性を有する第2化合物を含み前記容器の前記チャンバに配置される溶液を備え、ここで前記溶液が、前記流出路を通って流出する前記チャンバ内の流体と混合する、請求項1に記載のシステム。
【請求項９】
前記第2化合物が、塩素である、請求項8に記載のシステム。
【請求項１０】
ａ）内部に画定されるろ材チャンバを有する中空ハウジングと、
ｂ）前記ろ材チャンバに流体連通するように構成される流入路に流体連通している入口ポートと前記ろ材チャンバに流体連通するように構成される流出路に流体連通している出口ポートとを有し前記ろ材チャンバに係合する中空ネック部と、ここで前記流入路と前記流出路が、前記ネック部に配置され、且つ前記ネック部内の二重の流体流と前記ろ材チャンバへの別個の流体連通とを備えるように構成され、
ｃ）前記ろ材チャンバに配置される殺菌剤と、ここで前記殺菌剤が、前記ろ材チャンバ内の前記流体への露出時に殺菌性を有する化合物を放出するように化学的に構成される1つ以上の反応体を含み、
ｄ）前記流体中の前記殺菌剤の存在と前記流体からの前記殺菌剤の引続く消失との検知を容易にするための、前記殺菌剤に関連する染料指示薬と、
を備えるフィルタカートリッジ。
【請求項１１】
前記化合物が、二酸化塩素である、請求項10に記載のフィルタカートリッジ。
【請求項１２】
前記流体が、水である、請求項10に記載のフィルタカートリッジ。
【請求項１３】
前記1つ以上の反応体が、水溶性亜塩素酸塩と水溶性の酸を含む、請求項12に記載のフィルタカートリッジ。
【請求項１４】
前記ろ材チャンバに配置されるろ材を備える、請求項12に記載のフィルタカートリッジ。
【請求項１５】
前記ろ材が、活性炭で製作される、請求項14に記載のフィルタカートリッジ。
【請求項１６】
前記ろ材と前記殺菌剤が、内部に入る流体が前記殺菌剤に先立ち最初に前記ろ材に露出されるように前記ろ材チャンバに配置される、請求項14に記載のフィルタカートリッジ。
【請求項１７】
前記ネック部に軸方向に配置されると共に、前記ろ材チャンバ中に延びる多孔性外周部を有する部分を有する、管状部材を備え、前記管状部材が、内部の内側軸方向通路と、前記管状部材の外周部及び前記ネック部の内側面により境界を定められる、半径方向に外側の軸方向通路とを画定し、ここで、前記外側の軸方向通路と前記内側軸方向通路が、それぞれに、前記流入路と前記流出路とを備える、請求項10に記載のフィルタカートリッジ。
【請求項１８】
前記ろ材チャンバ中に延びる前記管状部材の前記部分の前記多孔性外周部に沿って配置されるろ材を備える、請求項17記載のフィルタカートリッジ。
【請求項１９】
前記殺菌剤が、前記ろ材チャンバ中に延びる前記管状部材の前記部分の前記内側軸方向通路内に配置される、請求項18記載のフィルタカートリッジ。
【請求項２０】
前記殺菌剤が、不活性な多孔性仕切り板により前記ろ材から分離される、請求項18記載のフィルタカートリッジ。
【請求項２１】
前記殺菌剤に露出される流体の大部分を受けるために、前記ろ材チャンバと流体連通していると共に前記ろ材チャンバ内の前記殺菌剤の位置に相対的に隣接して配置される、前記ハウジング内第2出口ポートを備える、請求項20に記載のフィルタカートリッジ。
【請求項２２】
ａ）内部に画定されるろ材チャンバを有するハウジングと、
ｂ）前記ろ材チャンバに流体連通するために構成される前記ハウジング内流入路と、
ｃ）前記ろ材チャンバに流体連通するために構成される前記ハウジング内流出路と、
ｄ）前記ろ材チャンバ内に配置される殺菌剤と、ここで前記殺菌剤が、水に湿潤時に二酸化塩素又は他の殺菌剤を放出するために構成される1つ以上の反応体を備え、
ｅ）前記流体中の前記殺菌剤の存在と前記流体からの前記殺菌剤の引続く消失との検知を容易にするための、前記殺菌剤に関連する染料指示薬と、
ここで、前記流入路に向けられる水が、前記ろ材チャンバを通って流れ、かつ前記ろ材チャンバ内前記殺菌剤に露出された前記殺菌剤を含む水の一部から二酸化塩素を伴って前記流出路を流出し、
を備えるフィルタカートリッジ。
【請求項２３】
前記流出路から流れる前記水中の二酸化塩素の濃度が、0.1ppm〜10ppmの範囲にある、請求項22に記載のフィルタカートリッジ。
【請求項２４】
前記流出路から流れる前記水中の二酸化塩素の濃度が、50ppm〜100ppmの範囲にある、請求項22に記載のフィルタカートリッジ。
【請求項２５】
内部の水流を機械的にろ過するために構成される前記ろ材チャンバ内に配置されるろ材を備える、請求項22に記載のフィルタカートリッジ。
【請求項２６】
内部の水流を化学的にろ過するために構成される前記ろ材チャンバ内に配置されるろ材を備える、請求項22に記載のフィルタカートリッジ。
【請求項２７】
流体を受けるために構成される流入路と、前記流体の流出のために構成される流出路と、前記流入路から前記流体を受けると共に内部の前記流体を一時的閉じ込めるために構成される内部チャンバとを有する中空容器と、
前記チャンバに作用可能に配置される殺菌剤と、前記殺菌剤が、前記チャンバ内で前記流体に露出時に殺菌性を有する化合物を放出するために化学的に構成される1つ以上の反応体を含み、
前記容器の前記チャンバに作用可能に配置される、殺菌性を有する第2の化合物を含む溶液と、ここで前記溶液が、前記流出路を通って流出する前記チャンバ内の流体と混合され、
を備える、流体に殺菌剤を配送するシステム。
【請求項２８】
前記流体中の前記殺菌剤の存在と前記流体からの前記殺菌剤の引続く消失との検知を容易にするための、前記殺菌剤に作用可能に関連する染料指示薬を含む、請求項27に記載のシステム。
【請求項２９】
内部に画定されるろ材チャンバを有する中空ハウジングと、
前記ろ材チャンバに流体連通するように構成される流入路に流体連通する入口ポートと、前記ろ材チャンバに流体連通するように構成される流出路に流体連通する出口ポートとを有する前記ろ材チャンバに係合する中空ネック部と、ここで前記流入路と前記流出路が、前記ネック部に配置され、且つ前記ネック部内の二重の流体流と前記ろ材チャンバへの別個の流体連通とを備えるように構成され、
前記ろ材チャンバに配置される殺菌剤と、前記殺菌剤が、前記ろ材チャンバ内の流体に露出時に殺菌性を有する化合物を放出するように化学的に構成される1つ以上の反応体を含み、
前記ネック部に軸方向に配置されると共に、前記ろ材チャンバ中に延在する多孔性外周部を有する部分を有する管状部材と、前記管状部材が、内部に内側軸方向流路と、前記管状部材の外周部及び前記ネック部の内側面により境界を定められる半径方向に外側の軸方向流路とを画定し、ここで前記外側の軸方向流路と前記内側軸方向流路が、それぞれ、前記流入路と前記流出路を備え、
を備えるフィルタカートリッジ。
【請求項３０】
前記流体中の前記殺菌剤の存在と前記流体からの前記殺菌剤の引続く消失との検知を容易にするための、前記殺菌剤に作用可能に関連する染料指示薬を含む、請求項29に記載のフィルタカートリッジ。